(57)【特許請求の範囲】
【請求項１】
額縁の裏面に回転可能に取り付ける取り付け部から額縁に嵌め込んだ裏板を押える押え部を延設した額縁用裏板押えであって、
上記押え部の基部に、押え部が押え位置にあるときに額縁の内周縁に係止する規制片を垂設し、
該規制片の高さを、一側部を低く、他側部を高く設定して、一側部方向への回転のみを許容するように形成した
額縁用裏板押え。
【請求項２】
前記取り付け部の下面には、額縁の裏面に形成した取り付け孔に挿入する回転軸を垂設し、
該回転軸の先端部における周面には、押え部が押え位置にあるときに上記取り付け孔の口縁部に係止して抜け止めする係止部を形成した
請求項１に記載の額縁用裏板押え。
【請求項３】
請求項１または請求項２に記載の額縁用裏板押えを取り付けた
額縁。
【請求項４】
額縁の裏面に、接地時に前記額縁用裏板押えを浮かせる脚部を形成した
請求項３に記載の額縁。
【発明の詳細な説明】
【０００１】
【発明の属する技術分野】
この発明は、例えば賞状や書画、写真などを展示するための額縁に関する。
【０００２】
【従来の技術】
額縁には様々な形態のものがあるが、その中の一つに、裏側から透明板、展示物、裏板を重ねて嵌め込んで、これをトンボと称する裏板押えで押さえつけて保持するものがある。
【０００３】
この裏板押えは水平方向に回転可能で、裏板がある部分に突出させたときに裏板を押えるわけであるが、展示物の厚みが薄い場合など、押え力が充分に作用しないときには、些細な外力や重力によって不測に回転して、裏板が外れる難点がある。
【０００４】
【発明が解決しようとする課題】
そこでこの発明は、不測にずれることがなく、確実な保持ができるようにすることを主たる課題とする。
【０００５】
【課題を解決するための手段】
そのための手段は、額縁の裏面に回転可能に取り付ける取り付け部から額縁に嵌め込んだ裏板を押える押え部を延設した額縁用裏板押えであって、上記押え部の基部に、押え片が押え位置にあるときに額縁の内周縁に係止する規制片を垂設し、該規制片の高さを、一側部を低く、他側部を高く設定して、一側部方向への回転のみを許容するように形成した額縁用裏板押えであることを特徴とする。
【０００６】
この額縁用裏板押えは、一体形成した軸部や別体のネジ等により適宜回転可能に取り付ける。額縁用裏板押えの押え部が裏板を押えているとき、押え部の基部に形成した規制片は、額縁の内周縁に係止するので不測の回転を抑えることができる。しかも一方向のみに回転し、他方向への回転は規制片で阻止されるので、裏板を外す操作性を確保しながらも回転を規制する効果を確保できる。
【０００７】
額縁を合成樹脂の射出成形で形成する場合には、前記取り付け部の下面に、額縁の裏面に形成した取り付け孔に挿入する回転軸を垂設し、該回転軸の先端部における周面には、押え部が押え位置にあるときに上記取り付け孔の口縁部に係止する係止部を形成するとよい。押え部が裏板を押えているときには係止部が取り付け孔の口縁部に係止するので、抜けるようなことがなく確実な押え状態を得ることができる。しかも、組み立てに際しては、ネジなどの別部材を必要とすることはなく、部品点数を低減でき、作業も簡単である。
【０００８】
別の手段は、前記額縁用裏板押えを取り付けた額縁であることを特徴とする。
【０００９】
この額縁では、その裏面に、接地時に前記額縁用裏板押えを浮かせる脚部を形成するとよい。置いた時や梱包、輸送時等に安定性がよく、がたついたりせず、さらに裏面に取り付けた額縁用裏板押えが直接当たらないようにすることができるので、額縁用裏板押えの損傷や脱落等を回避できる。
【００１０】
【発明の実施の形態】
この発明の実施の形態を、以下図面を用いて説明する。
図１は、額縁１の裏面を示す平面図であり、この額縁１は合成樹脂製で、裏面に取り付けた裏板押え２で、裏側から嵌め込んだ裏板３を押え、展示物４及び透明板５を図２に示したように保持するようにしている。
【００１１】
額縁１は、方形状に形成した枠状の本体部材６と、該本体部材６の表面に固着する装飾部材７とで構成している。本体部材６は内周縁に段部８を張り出し、表面側に開口部９を有する形状に射出成形により形成している。開口部９の内外両縁部には、嵌合溝９ａ，９ｂを形成する。
【００１２】
上記装飾部材７は、両側縁に嵌合縁７ａ，７ｂを垂設した帯状で、両端を４５度に切断した形状に射出成形により形成する。本体部材６は方形枠状であるので、装飾部材７は４本必要である。この装飾部材７の成形時には、所望の図柄模様を有したシート状の被覆材７ｃを金型内に保持して、表面に所望の図柄模様が表れるようにしている。所望の図柄模様とは、例えば賞状用の額縁であれば木目調の柄というように、使用目的に相応しい適宜の色彩の図柄模様をいう。
【００１３】
前記裏板押え２は、その裏面側から斜めに見た状態を表すと図３のような形状になる。すなわち、合成樹脂製の裏板押え２は、板状の取り付け部１０の一端から斜め下方に向けて押え部１１を延設した形状であり、取り付け部１０には、これを回転可能に取り付けるための回転軸１２を垂設している。回転軸１２は、その先端部における周面の押え部１１側には、押え部１１が押え位置にあるとき、すなわち裏板３の上へ裏板３の辺に対して直角に張り出しているときに、抜け止めする係止部１３を形成している。そしてこの係止部１３を弾性変位できるようにするため、縦の割り溝１２ａを形成している。
【００１４】
このような形状の回転軸１２を回転可能に保持するため、額縁１の各辺の裏面１ａには、図４に示すように回転軸１２を挿入可能な円形の孔部１４ａと、この孔部１４ａにおける額縁１の辺方向に沿う方向のうちの一方に形成した、上記係止部１３を挿入可能とするぬすみ部１４ｂとからなる取り付け孔１４を形成している。
【００１５】
裏板押え２の取り付けは、係止部１３をぬすみ部１４ｂに位置合わせして回転軸１２を取り付け孔１４に挿入するとよいが、回転軸１２には割り溝１２ａを形成しているので、押え部１１を裏板３側へ突出した状態でも挿入可能である。このため、上記ぬすみ部１４ｂは形成せずともよい。
【００１６】
上記押え部１１は、額縁１の内周に保持した裏板３を押圧可能な長さに設定し、先端部を上へ反らせている。そして押え部１１の基部には、押え部１１が押え位置にあるとき、すなわち裏板３の上へ裏板３の辺に対して直角に張り出しているときに、額縁１の内周縁に係止する規制片１５を垂設している。
【００１７】
この規制片１５は、図示したように直角三角形である。つまり一側部に、該方向への回転のみを許容する切欠部を形成し、下辺１５ａを傾斜させた形である。換言すれば、一側部を低く、他側部を高く設定して、一側部方向への回転のみを許容している。一側部は、その高さをゼロ、つまり押え部１１の下面と面一か、もしくは回転が可能な程度の若干の高さを有するように設定し、他側部は、回転を阻止するのに充分な高さに設定し、これらを直線でつないでいる。曲線で連結するもよい。また他側部は、具体的にその高さがあればよく、図示したような直角三角形でなくともよい。
【００１８】
すなわち規制片１５をこのように形成すると、図５に示したように高さの低い一側部方向（図面上左方向）には、規制片１５はその回転に伴って額縁１の裏面１ａに乗り上げられるので回転するが、他側部方向（図面上右方向）に回転しようとしても、乗り上げができないので回転は阻まれる。
【００１９】
押え部１１の表面には、図１に示したように回転が許容される方向を矢印などの記号や文字等を用いて表示部１１ａを形成しておくと、分かりやすくてよい。
【００２０】
また、額縁１の裏面１ａにおける四隅の内周縁部には、接地時に裏板押え２を浮かせる高さのアングル状の脚部１６を一体形成している。四隅に形成すれば、前記装飾部材７を本体部材６に対して固着するのに際して超音波溶着を行う場合でも、邪魔にならないのでよい。他の接着やネジ等その他の固着方法を採用する場合は、他の部位に形成するもよい。図１中、１ｂは吊り紐を掛止するための孔部である。
【００２１】
このように構成した額縁１では、裏板押え２を図１に仮想線で示したように額縁１の裏面１ａに乗るように回転して、この状態で透明板５、展示物４、裏板３を嵌め込んでから実線で示したような向きに回転する。すると裏板押え２の押え部１１は、弾力的に裏板３を押圧して保持する。外すときには、表示部１１ａの表示の通りに回転して仮想線で示した状態にすればよい。表示部１１ａの表示と反対の方向には、規制片１５の存在により回転が規制でき、不測の回転を抑えることができる。このため不測には動かず、裏板３の保持状態を確保でき、外れ等の不都合を防止できる。しかも一方向のみに回転し、他方向への回転は規制片１５で阻止されるので、裏板３を外す操作性を確保しながらも回転を規制する効果を確保できる。
【００２２】
その上、押え部１１が裏板３を押えているときには係止部１３が取り付け孔１４の口縁部に係止するので、抜けるようなことがなく確実な押え状態を得ることができる。しかも、組み立てに際しては、ネジなどの別部材を必要とすることはなく、部品点数を低減でき、作業も簡単である。
【００２３】
また、額縁１の裏面１ａには、接地時に裏板押え２を浮かせる脚部１６を形成しているので、置いた時や梱包、輸送時等に安定性がよく、がたついたりせず、さらに裏面１ａに取り付けた裏板押え２が直接当たらないようにすることができるので、裏板押え２の損傷や脱落等を回避できる。
【００２４】
以上の実施の形態は一例であって、他の構成を採用することもできる。
【００２５】
例えば額縁１は、図６に示したように硬質の発泡樹脂を材料にで押出し成形したものを用いることもできる。この額縁１は、押出し成形した基材の表面に装飾用の転写層１７を形成し、この転写層１７の上に、凹凸を有する熱ローラを当てて、彫刻したような外観美麗な凹凸模様１８を形成し、この凹凸模様１８の凸部に、さらに別の転写層１９を形成した構成で、中実である。取り付け孔１４は、貫通しないバカ孔２０を裏面側から所定深さ形成し、その開口縁部分に、バカ孔２０の径よりも小径の貫通孔２１ａを有する取り付け孔形成部材２１をねじ山を利用した螺着や、接着、溶着等の適宜の手段により固定する。裏板押え２は、前述と同様に構成し、その回転軸１２を上記貫通孔２１ａに対して単に差し込めばよい。弾性変位して回転軸１２は小径になり、係止部１３が貫通孔２１ａを通過した時点で広がり、回転可能に抜け止めされる。
【００２６】
また、額縁１には取り付け孔を形成せず、裏板押えには回転軸を形成せずに構成し、別部材のねじを用いて単に回転可能に取り付けるもよい。
【００２７】
【発明の効果】
以上のように、この発明によれば、額縁用裏板押えは回転を規制されるので、些細な外力や重力によっては不測には動かず、裏板の保持状態を確保できる。
【図面の簡単な説明】
【図１】  額縁の裏面を示す平面図。
【図２】  額縁の裏板押え部分を示す断面図。
【図３】  裏板押えの裏面側からの斜視図。
【図４】  額縁の取り付け孔を示す平面図。
【図５】  額縁の断面図。
【図６】  額縁の他の例を示す斜視図。
【符号の説明】
１…額縁
２…裏板押え
３…裏板
１０…取り付け部
１１…押え部
１２…回転軸
１３…係止部
１４…取り付け孔
１５…規制片
１６…脚部
【図１】
0004744002.tif 000002
【図２】
0004744002.tif 000003
【図３】
0004744002.tif 000004
【図４】
0004744002.tif 000005
【図５】
0004744002.tif 000006
【図６】
0004744002.tif 000007